(57)【要約】【課題】意匠性を高めることができる。【解決手段】上枠２１、下枠２２および左右の縦枠２３、２４を枠組みして構成される枠体２と、枠体２内で左右方向にスライド可能に配置される障子３と、を備え、枠体２の左右領域のうち一方の領域Ｒ２の屋内側に屋内外方向Ｘ１に連通する開口部２Ａの四周に沿って設けられた開口枠２０が形成された外付け構造の片引き戸１において、障子３の全閉状態Ｐ１において、上下左右框３１、３２、３３、３４のガラス３５を支持するガラス保持溝を形成する框の先端部は、屋内側から見て開口枠２０の屋外側に隠れている構成の建具を提供する。【選択図】図４
2019178556.tif 000002
【特許請求の範囲】
【請求項１】
上枠、下枠および左右の縦枠を枠組みして構成される枠体と、前記枠体内で左右方向にスライド可能に配置される障子と、を備え、前記枠体の屋内側に屋内外方向に連通する開口部の四周に沿って設けられた開口枠が形成された外付け構造の片引き戸であって、
前記障子の全閉状態において、上下左右框の面材を支持する内周側端部を形成する框の先端部は、屋内側から見て前記開口枠に隠れていることを特徴とする建具。
【請求項２】
前記障子は、全開状態において、戸先框が屋内側から見て前記開口枠に隠れている請求項１に記載の建具。
【請求項３】
前記枠体における全開状態の前記障子が引き込まれる際の引き込み代は、前記障子の左右方向の寸法と同等以上である請求項１に記載の建具。
【請求項４】
前記障子は、前記面材が網であり、前記内周側端部で前記網を支持する網戸框を有する網戸であり、
前記網戸の全閉状態において、前記網戸框の先端部が屋内側から見て前記開口枠に隠れている請求項１乃至３のいずれか１項に記載の建具。
【請求項５】
前記障子は、前記面材がガラスであり、前記内周側端部で前記ガラスを支持するサッシ框を有するサッシ障子と、前記網戸と、を備え、
前記サッシ障子及び前記網戸の全閉状態又は全開状態において、前記網戸框は、屋内側から見て前記サッシ框及び前記開口枠に隠れている請求項４に記載の建具。
【発明の詳細な説明】
【技術分野】
【０００１】
本発明は、建具に関する。
【背景技術】
【０００２】
従来、例えば、特許文献１に示されるような、開口部に設けられた枠体の下枠に形成された溝に沿って障子を水平方向に走行させる引戸が知られている。このような引戸の障子には、障子を走行させるための手掛け部が戸先框や召合框に形成されている。そして、障子を閉鎖された状態から開放する際には、使用者は手掛け部に指を掛けて障子を開放方向に走行させる。
【先行技術文献】
【特許文献】
【０００３】
【特許文献１】特開２０１７−８６０１号公報
【発明の概要】
【発明が解決しようとする課題】
【０００４】
しかしながら、従来の引戸における障子では、戸先框に手掛け部が設けられており、障子が閉鎖した状態で屋内側から見える位置に戸先框が配置されている。また、通常の使用時には、障子を閉めることが多く、框が屋内側から見える状態となっていることから、意匠性の向上が求められており、その点で改善の余地があった。
【０００５】
本発明は、上述する問題点に鑑みてなされたもので、意匠性を高めることができる建具を提供することを目的とする。
【課題を解決するための手段】
【０００６】
上記目的を達成するため、本発明に係る建具は、上枠、下枠および左右の縦枠を枠組みして構成される枠体と、前記枠体内で左右方向にスライド可能に配置される障子と、を備え、前記枠体の屋内側に屋内外方向に連通する開口部の四周に沿って設けられた開口枠が形成された外付け構造の片引き戸であって、前記障子の全閉状態において、上下左右框の面材を支持する内周側端部を形成する框の先端部は、屋内側から見て前記開口枠に隠れていることを特徴としている。
【０００７】
本発明によれば、障子の全閉時において、屋内側から見て障子の上下左右の４辺に位置する各框の内周側端部が開口部の四周に沿って設けられた開口枠の屋外側に隠れた状態となるので、
屋内側から見て前述のように障子の各框が開口枠の屋外側に隠れた状態で障子の面材のみが開口部において屋内側から見える状態になることから、障子における全閉状態による意匠性を向上することができる。
【０００８】
また、本発明に係る建具は、前記障子は、全開状態において、戸先框が屋内側から見て前記開口枠の屋外側に隠れていることが好ましい。
【０００９】
この場合には、障子を全開にしたときにおいても、戸先框が開口枠の屋外側に隠れており、開口部の屋内側からすべての框が見えない状態となり、障子を全閉にしているときと、全開にしているときの開口部の見え方が同じになることから、意匠性の向上を図ることができる。
【００１０】
また、本発明に係る建具は、前記枠体における全開状態の前記障子が引き込まれる際の引き込み代は、前記障子の左右方向の寸法と同等以上であることが好ましい。
【００１１】
この場合には、障子を全開にしたときにおいても、戸先框が開口枠の屋外側に隠れており、開口部の屋内側からすべての框が見えない状態となり、障子を全閉にしているときと、全開にしているときの開口部の見え方が同じになることから、意匠性の向上を図ることができる。
【００１２】
また、本発明に係る建具は、前記障子は、前記面材が網であり、前記内周側端部で前記網を支持する網戸框を有する網戸であり、前記網戸の全閉状態において、前記網戸框の先端部が屋内側から見て前記開口枠に隠れていることを特徴としてもよい。
【００１３】
この場合には、網戸の全閉時において、屋内側から見て網戸の上下左右の４辺に位置する各網戸框の内周側端部が開口部の四周に沿って設けられた開口枠の屋外側に隠れた状態となるので、屋内側から見て各網戸框が開口枠の屋外側に隠れた状態で網のみが開口部において屋内側から見える状態になることから、網戸における全閉状態による意匠性を向上することができる。
【００１４】
また、本発明に係る建具は、前記障子は、前記面材がガラスであり、前記内周側端部で前記ガラスを支持するサッシ框を有するサッシ障子と、前記網戸と、を備え、前記サッシ障子及び前記網戸の全閉状態又は全開状態において、前記網戸框は、屋内側から見て前記サッシ框及び前記開口枠に隠れていることが好ましい。
【００１５】
この場合には、屋内側から見て各網戸框がサッシ框及び開口枠の屋外側に隠れた状態で網のみが開口部において屋内側から見える状態になることから、網戸及びサッシ障子における全閉状態による意匠性を向上することができる。
【発明の効果】
【００１６】
本発明の建具によれば、意匠性を高めることができる。
【図面の簡単な説明】
【００１７】
【図１】本発明の実施形態による片引き戸を示す斜視図である。
【図２】図１に示す片引き戸を屋内側から見た正面図であって、全閉状態の障子を示す図である。
【図３】図１に示す片引き戸を屋内側から見た正面図であって、全開状態の障子を示す図である。
【図４】建築物に外付けされた状態の片引き戸を屋内側から見た正面図であって、全閉状態の障子を示す図である。
【図５】建築物に外付けされた状態の片引き戸を屋内側から見た正面図であって、全開状態の障子を示す図である。
【図６】図４に示すＩ−Ｉ線断面図であって、全閉状態の片引き戸の水平断面図である。
【図７】図５に示すＩＩ−ＩＩ線断面図であって、全開状態の片引き戸の水平断面図である。
【図８】図４に示すＩＩＩ−ＩＩＩ線断面図であって、全閉状態の片引き戸の縦断面図である。
【図９】図５に示すＩＶ−ＩＶ線断面図であって、全開状態の片引き戸の縦断面図である。
【図１０】押出し機構の構成を示す斜視図であって、縦枠カバーを省略した図である。
【図１１】図１０に示す押し出し機構を屋内側から見た側面図である。
【発明を実施するための形態】
【００１８】
以下、本発明の一実施形態による建具として、建築物の開口部に設けられる片引き戸を一例として図面に基づいて説明する。
【００１９】
図１から図３に示す本実施形態による片引き戸１（建具）は、図４及び図５に示すような建築物の開口部２Ａに設けられ、四方を枠組みしして四角形枠状に構成された枠体２と、枠体２内で左右方向Ｘ２にスライド可能に設けられた障子３（サッシ障子）と、を備えている。片引き戸１は、アルミニウムと樹脂の複合のサッシである。また、枠体２の屋外側には、網戸５が左右方向Ｘ２に移動可能に設けられている。
【００２０】
障子３は、全開状態Ｐ２において屋内側から見て戸袋側に上下左右の框３１〜３４がすべて隠れる構成になっている。すなわち、枠体２には左右領域のうち一方（本実施形態では屋内側から見て右側）の第１領域Ｒ１の屋内側に躯体Ｋが設けられ、他方（屋内側から見て左側）の第２領域Ｒ２の屋内側に屋内外方向Ｘ１に連通する開口部２Ａの四周に沿って設けられた開口枠２０が形成された外付け構造となっている。
ここで、図６及び図７に示す符号Ｗは内装材を示し、図８及び図９に示す符号Ｔ、Ｆはそれぞれ天井材、床材を示している。内装材Ｗは建物の開口部２Ａを形成していて、開口枠２０は開口部２Ａに沿って設けられている。
【００２１】
以下の説明において、屋外側と屋内側とを結ぶ方向を屋内外方向Ｘ１とし、建築物の開口部２Ａが躯体Ｋを貫通する方向から見た際の左側と右側を結ぶ水平方向を左右方向Ｘ２とする。また、片引き戸１を構成する各部材や部品などは、前記開口部２Ａに設けられている姿勢であるものとして、その姿勢における屋内外方向Ｘ１および左右方向Ｘ２を用いて説明する。左右方向Ｘ２において、障子３を閉じる方向を閉鎖方向といい、開く方向を開放方向という。
【００２２】
図１から図３に示すように、枠体２は、全体が矩形状に形成され、建築物の屋外側に配置される外付け用となっている。枠体２は、左右方向Ｘ２に延在する上枠２１及び下枠２２と、上枠２１の両端部と下枠２２の両端部とをそれぞれ連結し上下方向Ｘ３に延在する縦枠２３、２４と、を有している。
左右の縦枠２３、２４同士の間の左右方向Ｘ２の中間部分には、図６及び図７に示すように方立２５が設けられている。方立２５は、上枠２１と下枠２２とのそれぞれの左右方向Ｘ２の中間部分に連結されている。
【００２３】
開口部２Ａの四周に沿って設けられた開口枠２０は、上枠２１（後述する上枠カバー２１Ｃ）、下枠２２（後述する下枠カバー２２Ｃ）、一方の縦枠２３（後述する縦枠カバー２６）、及び方立２５（後述する方立カバー２５Ｂ）によって四辺を囲って構成されている。なお、開口枠２０は、開口部２Ａに設けられる枠部材であって、上述した障子３を左右方向Ｘ２にスライド可能に支持する枠体２が設けられる開口とは一致するものではない。すなわち、本実施形態のように、開口枠２０の一辺に方立２５が設けられるものが適用される。
【００２４】
一対の縦枠２３、２４は、それぞれアルミ合金等の金属製である。一対の縦枠２３、２４のうち、障子３の戸先框３３に対向する側を第１縦枠２３とし、障子３の召合框３４に対向する側を第２縦枠２４として、以下説明する。
【００２５】
第１縦枠２３は、図６及び図７に示すように、屋外側に配置され障子３の戸先框３３を開閉自在に係止する屋外側枠部２３Ａと、屋外側枠部２３Ａの屋内側に配置され開口部２Ａを形成する縦枠カバー２６が取り付けられる屋内側枠部２３Ｂと、を有している。
第１縦枠２３における第２縦枠２４を向く面の内側には、全閉状態Ｐ１の障子３を開放方向に向けて押し出す押出し機構４（図１参照）が設けられている。
【００２６】
屋外側枠部２３Ａには、開放方向に向けて突出するとともに、上下方向Ｘ３に延びる第１フランジ２３１が設けられている。屋内側枠部２３Ｂには、開放方向に向けて突出するとともに、上下方向Ｘ３に延びる縦枠カバー２６を固定するための第２フランジ２３２、２３３が設けられている。
第１フランジ２３１の屋外側の外面２３１ａには、障子３の戸先框３３のパッキン３３ｃ（後述する）が接触される。
【００２７】
縦枠カバー２６は、樹脂製の材料により形成され、ねじ固定や嵌め合わせ等により第１縦枠２３の屋内側枠部２３Ｃの第２フランジ２３２、２３３に固定されている。縦枠カバー２６の第２縦枠２４側を向く側面２６ａは、上述した開口枠２０の一方の縦側面を構成し、建物の開口部２Ａと面一となっている。
縦枠カバー２６には、屋外側角部において屋外側に突出し、上下方向Ｘ３の全体にわたって延在する第１ヒレ部材２６１が設けられている。第１ヒレ部材２６１は、障子３の戸先框３３の屋内側の面に接触可能に設けられている。
【００２８】
縦枠カバー２６の側面２６ａには、図１に示すように、上下方向Ｘ３の中間部分に、上下方向Ｘ３に延びる縦長の凹溝部が形成されている。この凹溝部には、後述する押出し機構４の一部（ハンドル部材４１など）が配置される。
【００２９】
第２縦枠２４は、屋外側に配置され障子３の召合框３４を開閉自在に係止する屋外側枠部２４Ａと、屋外側枠部２４Ａの屋内側に配置され躯体Ｋが取り付けられる屋内側枠部２４Ｂと、を有している。
【００３０】
屋外側枠部２４Ａには、閉鎖方向に向けて突出するとともに、上下方向Ｘ３に延びる第３フランジ２４１、及び第４フランジ２４２が設けられている。屋内側枠部２４Ｂには、左右方向Ｘ２の閉鎖方向に向けて突出するとともに、上下方向Ｘ３に延びる躯体Ｋを固定するための第５フランジ２４３が設けられている。第３フランジ２４１は、網戸５の端部が係止可能となっている。
【００３１】
第４フランジ２４２の突出先端には、上下方向Ｘ３に延在する第１ストッパー２４４が設けられている。第１ストッパー２４４は、ゴム製の弾性部材から形成され、図７に示すように障子３が全開状態Ｐ２となる手前の位置で召合框３４に接触し、一時的に障子３を停止させる機能を有している。
【００３２】
上枠２１は、図８及び図９に示すように、屋外側に配置され障子３の上框３１を開閉自在に支持する屋外側上枠部２１Ａと、屋外側上枠部２１Ａの屋内側に配置され開口部２Ａを形成する上枠カバー２１Ｃが取り付けられる屋内側上枠部２１Ｂと、を有している。
【００３３】
屋外側上枠部２１Ａには、屋外側の端面から下方に向けて突出するとともに、左右方向Ｘ２に延びるフランジ形状の網戸レールガイド２１１と、屋内外方向Ｘ１の中間部分から下方に向けて突出するとともに、左右方向Ｘ２に延びるフランジ形状の第１突起レール部２１２と、が設けられている。
屋外側上枠部２１Ａにおける第１突起レール部２１２の屋内側には、後述するダンパー装置６を収納可能な上枠レール間カバー１２Ｅが配置されるとともに左右方向Ｘ２に延びる上枠凹部２１３が設けられている。
【００３４】
屋内側上枠部２１Ｂには、複数箇所（３箇所）から下方に向けて突出するとともに、左右方向Ｘ２に延びる上枠カバー２１Ｃの上部を固定するための第６フランジ２１４が設けられている。
【００３５】
上枠カバー２１Ｃ及び上枠レール間カバー１２Ｅは、樹脂製の材料により形成されている。上枠カバー２１Ｃの上部は、ねじ固定や嵌め合わせ等により屋内側上枠部２１Ｂの第６フランジ２１４に固定されている。上枠カバー２１Ｃの下面２１ａは、上述した開口部２Ａの下面を構成し、建物の開口部２Ａと面一となっている。
上枠カバー２１Ｃには、屋外側角部において屋外側に斜め上向きに突出し、左右方向Ｘ２の全体にわたって延在するヒレ部材２１５が設けられている。ヒレ部材２１５は、障子３の上框３１の屋内側面３１ｂに接触可能に設けられている。
【００３６】
上枠レール間カバー２１Ｅは、上枠カバー２１Ｃとは別体で設けられ、下側に向かって開口する縦断面略コ字状をなし、上枠凹部２１３に係合された状態で上板２１ｃがねじ固定や嵌め合わせ等により上枠凹部２１３の頂板２１３ａに固定されている。
【００３７】
下枠２２は、屋外側に配置され障子３の下框３２を開閉自在に支持する屋外側下枠部２２Ａと、屋外側下枠部２２Ａの屋内側に配置され開口部２Ａを形成する下枠カバー２２Ｃが取り付けられる屋内側下枠部２２Ｂと、を有している。
【００３８】
屋外側下枠部２２Ａには、屋外側の端面から上方に向けて突出するとともに、左右方向に延びるフランジ形状の網戸レールガイド２２１と、屋内外方向Ｘ１の中間部分から上方に向けて突出するとともに、左右方向Ｘ２に延びるフランジ形状の第２突起レール部２２２と、が設けられている。
屋外側下枠部２２Ａにおける第２突起レール部２２２の屋内側には、下枠レール間カバー２２Ｅが配置されるとともに左右方向Ｘ２に延びる下枠凹部２２３が設けられている。
第２突起レール部２２２の上端縁には、障子３の下框３２に設けられる戸車３６が屋内外方向Ｘ１への移動が規制された状態で走行可能に載置されている。
【００３９】
屋内側下枠部２２Ｂには、複数箇所（３箇所）から下方に向けて突出するとともに、左右方向Ｘ２に延びる下枠カバー２２Ｃの下部及び側面を固定するための第７フランジ２２４が設けられている。
【００４０】
下枠カバー２２Ｃ及び下枠レール間カバー２２Ｅは、樹脂製の材料により形成されている。下枠カバー２２Ｃの下部は、ねじ固定や嵌め合わせ等により屋内側下枠部２２Ｂの第７フランジ２２４に固定されている。下枠カバー２２Ｃの上面２２ａは、上述した開口部２Ａの上面を構成し、建物の開口部２Ａと面一となっている。
下枠カバー２２Ｃは、屋外側角部において屋外側に斜め下向きに突出し、左右方向Ｘ２の全体にわたって延在するヒレ部材２２５が設けられている。ヒレ部材２２５は、障子３の下框３２の屋内側面３２ｂに接触可能に設けられている。
【００４１】
下枠レール間カバー２２Ｅは、下枠カバー２２Ｃとは別体で設けられ、ねじ固定や嵌め合わせ等により下枠凹部２２３に固定されている。
【００４２】
方立２５は、図６及び図７に示すように、第２縦枠２４に支持される躯体Ｋの第１縦枠２３側の端部を支持する方立形材２５Ａと、方立形材２５Ａの第１縦枠２３側に係合される方立カバー２５Ｂと、を有している。
方立形材２５Ａは、板面が屋内側を向く内板部２５１と、屋外側端部に形成され障子３の閉方向の移動を規制する第２ストッパー２５２と、内板部２５１の第１縦枠２３側の端部に設けられるカバー係止部２５３と、を有している。
【００４３】
第２ストッパー２５２は、ゴム製の弾性部材から形成され、図７に示すように障子３が全開状態Ｐ２となる手前の位置で戸先框３３のガラス保持溝に接触し、一時的に障子３を停止させる機能を有している。
【００４４】
方立カバー２５Ｂは、樹脂製の材料により形成されている。方立カバー２５Ｂの第２縦枠２４側は、ねじ固定や嵌め合わせ等により方立形材２５Ａのカバー係止部２５３に係止されて固定されている。方立カバー２５Ｂの縦枠カバー２６の側面２６ａ側を向く側面２５ｃは、上述した開口部２Ａの他方の縦枠面を構成し、建物の開口部２Ａと面一となっている。
方立カバー２５Ｂには、屋外側角部において屋外側に斜めに突出し、上下方向Ｘ３の全体にわたって延在するヒレ部材２５４が設けられている。ヒレ部材２５４は、障子３の召合框３４の屋内側面に接触可能に設けられている。
【００４５】
図４及び図５に示すように、障子３は、左右方向Ｘ２に延在する上框３１および下框３２と、上下方向Ｘ３に延在する戸先框３３と召合框３４と、これらの框３１〜３４の内側に配置されるガラス３５（面材）と、を有している。
上下左右の各框３１〜３４には、それぞれガラス３５を支持するための断面略コの字状の溝（図６及び図９に示すガラス保持溝Ｇ）が形成されている。各框３１〜３４の内周側端部（本実施形態ではガラス保持溝Ｇ）を形成する形の先端部が、屋内側から見て開口部２Ａの屋外側に隠れるように構成されている。
また、障子３は、全開した状態（全開状態Ｐ２）において、戸先框３３が屋内側から見て開口枠２０の屋外側に隠れるように構成されている。第１領域Ｒ１において全開状態Ｐ２の障子３が引き込まれる際の引き込み代は、障子３の左右方向Ｘ２の寸法と同等以上に設定されている。
【００４６】
ガラス３５は、四辺の周縁部がガラス保持溝Ｇ内で框３１〜３４に係止された押縁３５１で押さえられた状態で嵌め込まれている。
【００４７】
戸先框３３は、図６及び図７に示すように、障子３の全閉状態Ｐ１において、召合框３４側の端部（溝を形成する形の溝先端部３３ａ）が、屋内側から見て、開口部２Ａの端面（縦枠カバー２６の側面２６ａ）と面一、もしくは第１縦枠２３側に位置して配置されている。
戸先框３３は、屋外側に設けられアルミニウムを材料として形成された屋外側形材３３Ａと、屋外側形材３３Ａの屋内側に設けられ樹脂を材料として形成された屋内側形材３３Ｂと、を有している。屋外側形材３３Ａおよび屋内側形材３３Ｂは、上下方向Ｘ３に延在しているとともに、互いに係合し、ガラス３５を係止している。
【００４８】
屋外側形材３３Ａは、板面が屋外側を向く外板部３３１と、外板部３３１と一体に形成され屋内側形材３３Ｂと係合する第１係合部３３２と、外板部３３１の召合框３４側の溝先端部３３ａに設けられる第１ガラス係止部３３３と、を有している。
屋外側形材３３Ａには、屋外側に突出した状態で上下方向Ｘ３に延在するパッキン３３ｃが設けられている。パッキン３３ｃは、ゴム製の弾性部材から形成され、障子３が全閉状態Ｐ１において、第１縦枠２３の第１フランジ２３１の外面２３１ａに対して気密に接触している。
【００４９】
屋内側形材３３Ｂは、板面が屋内側を向く内板部３３４と、内板部３３４と一体に形成され屋外側形材３３Ａと係合する第２係合部３３５と、内板部３３４の召合框３４側の溝先端部３３ａに設けられる第２ガラス係止部３３６と、を有している。
屋外側形材３３Ａと屋内側形材３３Ｂとの召合框３４側には、ガラス３５を支持するための上述したガラス保持溝Ｇが形成されている。
【００５０】
屋外側形材３３Ａと屋内側形材３３Ｂとの第１縦枠２３側には、召合框３４側に凹む凹部３３ｂが形成されている。凹部３３ｂには、屋内側形材３３Ｂにおける第１縦枠２３側の端面から屋外側に突出する手掛け部３３８が形成されている。手掛け部３３８は、少なくとも障子３の戸先框３３が縦枠カバー２６の側面２６ａよりも第２縦枠２４側となるように開いた状態において、凹部３３ｂの空間に使用者の手先が挿入可能に構成されている。また、手掛け部３３８は、全閉状態Ｐ１において、上述したように戸先框３３とともに屋内側から見て開口枠２０の屋外側に隠れているので、凹部３３ｂの空間に使用者の手先が挿入できない構成になっている。
【００５１】
召合框３４は、図６に示すように、障子３が開口部２Ａを閉鎖している全閉状態Ｐ１において、戸先框３３側の端部（溝を形成する形の溝先端部３４ａ）が、屋内側から見て、開口部２Ａの側面（方立カバー２５Ｂの側面２５ｃ）と面一、もしくは第２縦枠２４側（図６の右側）に位置して配置されている。
召合框３４は、アルミニウムを材料として形成された本体形材３４Ａを有している。本体形材３４Ａは、上下方向Ｘ３に延在してガラス３５を係止している。
【００５２】
本体形材３４Ａは、水平断面で矩形状をなしており、屋外側の板面における戸先框３３側の溝先端部３４ａには第３ガラス係止部３４２を有している。
本体形材３４Ａにおける第２縦枠２４側の屋内側角部には、屋内側に向けて突出するとともに上下方向の全体にわたって延びる気密パッキン３４３が設けられている。気密パッキン３４３は、ゴム製の弾性部材から形成され、障子３が全閉状態Ｐ１において、方立形材２５Ａの外面に対して気密に接触している。
本体形材３４Ａの戸先框３３側には、ガラス３５を支持するための上述したガラス保持溝Ｇが形成されている。
【００５３】
上框３１は、図８及び図９に示すように、障子３の全閉状態Ｐ１において、下框３２側の端部（溝を形成する形の溝先端部３１ａ）が、屋内側から見て、開口部２Ａの側面（上枠カバー２１Ｃの下面２１ａ）と面一、もしくは上側に位置して配置されている。
【００５４】
上框３１は、屋外側に設けられアルミニウムを材料として形成された屋外側形材３１Ａと、屋内側に設けられ樹脂を材料として形成された屋内側形材３１Ｂと、を有している。屋外側形材３１Ａおよび屋内側形材３１Ｂは、上下方向Ｘ３に延在しているとともに、互いに係合し、押縁３５１を介してガラス３５を係止している。
【００５５】
屋外側形材３１Ａは、板面が屋外側を向く外板部３１１と、外板部３１１と一体に形成され屋内側形材３１Ｂと係合する第１係合部３１２と、外板部３１１の下框３２側の端部から下側に向かって突出する第１ガラス係止部３１３と、を有している。
また、屋外側形材３１Ａの上部には、上枠２１の第１突起レール部２１２に左右方向Ｘ２にスライド可能なスライド係止部３１７が設けられている。
【００５６】
屋内側形材３１Ｂは、板面が屋内側を向く内板部３１４と、内板部３１４と一体に形成され屋外側形材３１Ａと係合する第２係合部３１５と、内板部３１４の下端部から下側に向かって突出する第２ガラス係止部３１６と、を有している。
屋内側形材３１Ｂは、ダンパー装置６のダンパー６Ａの下方に位置し、上面３１ｃにはダンパー６Ａに対して左右方向Ｘ２に摺動自在なラッチ６Ｂが設けられている。
屋外側形材３１Ａと屋内側形材３１Ｂとの下框３２側には、ガラス３５を支持するための上述したガラス保持溝Ｇが形成されている。
【００５７】
下框３２は、図８及び図９に示すように、障子３が開口部２Ａを閉鎖している全閉状態Ｐ１において、上框３１側の端部（溝を形成する形の溝先端部３２ａ）が、屋内側から見て、開口部２Ａの側面（下枠カバー２２Ｃの上面２２ａ）と面一、もしくは下側に位置して配置されている。
【００５８】
下框３２は、屋外側に設けられアルミニウムを材料として形成された屋外側形材３２Ａと、屋内側に設けられ樹脂を材料として形成された屋内側形材３２Ｂと、を有している。屋外側形材３２Ａおよび屋内側形材３２Ｂは、上下方向Ｘ３に延在しているとともに、互いに係合し、押縁３５１を介してガラス３５を係止している。
【００５９】
屋外側形材３２Ａは、板面が屋外側を向く外板部３２１と、外板部３２１と一体に形成され屋内側形材３２Ｂと係合する第１係合部３２２と、外板部３２１から上側に向かって突出する第１ガラス係止部３２３と、を有している。
また、屋外側形材３２Ａの下部には、下枠２２の第２突起レール部２２２に沿って左右方向Ｘ２に走行可能な戸車３６が設けられている。
【００６０】
屋内側形材３２Ｂは、板面が屋内側を向く内板部３２４と、内板部３２４と一体に形成され屋外側形材３２Ａと係合する第２係合部３２５と、内板部３２４から上側に向かって突出する第２ガラス係止部３２６と、を有している。
屋外側形材３２Ａと屋内側形材３２Ｂとの上框３１側には、ガラス３５を支持するための上述したガラス保持溝Ｇが形成されている。
【００６１】
網戸５（障子）は、図６〜図９に示すように、内周側端部５ａで網５０（面材）を支持する上下左右に配置される網戸框５１、５２、５３、５４を有している。図７に示す網戸５の全閉状態において、各網戸框５１、５２、５３、５４の先端部（内周側端部５ａ）が屋内側から見て開口枠２０に隠れている。また、障子３及び網戸５の図７に示す全閉状態又は図８に示す全開状態において、網戸框５１、５２、５３、５４は、屋内側から見て障子３の各框３１〜３４及び開口枠２０に隠れている。
【００６２】
次に、枠体の第１縦枠２３に設けられる押出し機構４について、図面に基づいて詳細に説明する。
押出し機構４は、図１０及び図１１に示すように、左右方向Ｘ２で縦枠に対して離間する方向に障子３を押し出す蹴出し部材４０と、蹴出し部材４０を連動させるとともに回動可能なハンドル部材４１と、ハンドル部材４１を回転可能に駆動する駆動機構４２と、を有している。押出し機構４は、第１縦枠２３の上下方向Ｘ３の中央部分に配置されている（図１参照）。この上下方向Ｘ３の位置は、障子３を開閉する人が手でハンドル部材４１を把持して操作し易い適宜な位置に配置される。
【００６３】
第１縦枠２３において、屋内側枠部２３Ｂにハンドル部材４１と駆動機構４２とが設けられ、屋外側枠部２３Ａに蹴り出し部材４０が設けられている。押出し機構４は、ハンドル部材４１の一部のみが縦枠カバー２６から露出させるように覆われた状態で配置されている。
【００６４】
ハンドル部材４１は、収納位置Ｑ１（図１参照）と、障子３を蹴り出すときの押出し位置Ｑ２と、の間で、ハンドル軸方向の下端部に位置する回転中心４１ａを中心にして回動可能に設けられている。
【００６５】
蹴出し部材４０は、連結部材を介してハンドル部材４１の回転中心４１ａと同軸に一体的に設けられ、ハンドル部材４１と一緒に回転する。すなわち、蹴出し部材４０においても、その位置はハンドル部材４１と同様に、収納位置Ｑ１、押し出し位置Ｑ２を選択的に取り得る。蹴出し部材４０は、ハンドル部材４１よりも中心軸からの長さが短い形状をなし、先端部には屋内外方向Ｘ１を回転中心としたローラー形状の回転当接部４０１が回転可能に設けられている。
蹴出し部材４０は、収納位置Ｑ１において、ハンドル部材４１を回動操作することで、ハンドル部材４１とともに回動し、全閉の障子３の戸先框３３の端部（戸先端）に当接し、押出し位置Ｑ２で障子３が開放方向に押し出されるように構成されている。なお、駆動機構４２は、押出し位置Ｑ２で障子３が押し出された後のハンドル部材４１を元の位置（収納位置Ｑ１）に戻るように構成されている。
【００６６】
次に、本実施形態による片引き戸１の作用について説明する。
本実施形態では、図４及び図５に示すように、障子３の全閉時において、屋内側から見て障子３の上下左右の４辺に位置する各框３１〜３４のガラス保持溝Ｇが開口部２Ａを形成する開口枠２０の屋外側に隠れた状態となる。すなわち、障子３上框３１、下框３２、戸先框３３、及び召合框３４が少なくとも屋内側から見て開口部２Ａに露出しない構成となるので、これらの框３１〜３４から屋内への熱の伝達が抑制され、断熱性能を高めることができる。
【００６７】
また、本実施形態では、前述のように屋内側から見て障子３の各框３１〜３４が開口枠２０の屋外側に隠れた状態で障子３のガラス３５のみが開口部２Ａにおいて屋内側から見える状態になり、障子３を全閉にしているときと、全開にしているときの開口部２Ａの見え方が同じになることから、障子３における全閉状態による意匠性を向上することができる。
【００６８】
また、本実施形態による片引き戸１は、障子３の全開状態において、戸先框３３が屋内側から見て開口枠２０を構成する方立カバー２５Ｂの屋外側に隠れていて、枠体２における全開状態Ｐ２の障子３が引き込まれる際の引き込み代は、障子３の左右方向Ｘ２の寸法と同等以上であるから、障子３を全開にしたときにおいても、戸先框３３が開口枠２０の屋外側に隠れており、開口部２Ａの屋内側からすべての框３１〜３４が見えない状態となることから、意匠性の向上を図ることができる。
【００６９】
このように本実施形態の片引き戸１によれば、断熱性能を向上させることができるとともに、意匠性を高めることができる。
【００７０】
以上、本発明による建具の実施形態について説明したが、本発明は上記の実施形態に限定されるものではなく、その趣旨を逸脱しない範囲で適宜変更可能である。
【００７１】
例えば、本実施形態では、障子３の全開状態Ｐ２において、戸先框３３が屋内側から見て開口枠２０の屋外側に隠れている構成、あるいは、枠体２における全開状態Ｐ２の障子３が引き込まれる際の引き込み代が障子３の左右方向の寸法と同等以上とした構成としているが、全開状態Ｐ２において各框３１〜３４が開口枠２０の屋外側に隠れる構成に限定されることはなく、例えば全開状態Ｐ２において戸先框３３が開口枠２０の内側に露出し、開口部２Ａの屋内側から見えるように構成されていてもよい。
【００７２】
また、本実施形態では、全閉状態Ｐ１の障子３を開く際に、押出し機構４を用いて、ハンドル部材４１を操作して蹴出し部材４０を回動させて戸先框３３を押し出すことで障子３を開く構成としているが、このような押出し機構４を用いて障子３を開く構成に限定されることはない。要は、全閉状態Ｐ１において、各框３１〜３４が開口枠２０の屋外側に隠れていればよいのであって、押出し機構４を省略することも可能であるし、他の構成を採用することも可能である。
【００７３】
また、本実施形態では、開口部２Ａを形成する開口枠２０として上枠２１、下枠２２、第１縦枠２３、及び方立２５によって四方の枠を構成しているが、開口枠２０を構成する部材はこれらに限定されることはない。例えば、方立２５に代えて建物の躯体や他の建具が開口枠２０を構成するものであってもよいし、開口部２Ａの四方の全辺が、躯体や他の建具で構成されていてもよい。
【００７４】
さらに、本実施形態では、本発明の障子として、障子３（サッシ障子）と網戸５を対象としているが、障子３のみ、あるいは網戸５のみが、框の先端部が屋内側から見て開口枠２０に隠れている構成としてもよい。
【００７５】
その他、本発明の趣旨を逸脱しない範囲で、上記した実施形態における構成要素を周知の構成要素に置き換えることは適宜可能である。
【符号の説明】
【００７６】
１  片引き戸（建具）
２  枠体
２Ａ  開口部
３  障子（サッシ障子）
４  押出し機構
５  網戸（障子）
５ａ  内周側端部
２０  開口枠
２１  上枠
２２  下枠
２３  第１縦枠
２４  第２縦枠
３１  上框
３２  下框
３３  戸先框
３４  召合框
３１ａ、３２ａ、３３ａ、３４ａ  溝先端部
３５  ガラス（面材）
５０  網（面材）
５１〜５４  網戸框
Ｇ  ガラス保持溝（内周側端部）
Ｐ１  全閉状態
Ｐ２  全開状態
Ｘ１  屋内外方向
Ｘ２  左右方向
Ｘ３  上下方向
【図１】
2019178556.tif 000003
【図２】
2019178556.tif 000004
【図３】
2019178556.tif 000005
【図４】
2019178556.tif 000006
【図５】
2019178556.tif 000007
【図６】
2019178556.tif 000008
【図７】
2019178556.tif 000009
【図８】
2019178556.tif 000010
【図９】
2019178556.tif 000011
【図１０】
2019178556.tif 000012
【図１１】
2019178556.tif 000013